(57)【要約】【課題】  音響空間に発せられる音をより適切に調整する。【解決手段】  音響調整卓２は、入力用マイクＭＣeから得られる音信号の特性を調整者からの指示に応じて変化させて出力する。この音信号は音響空間ＲhのスピーカＳＰhと信号処理装置３とに供給される。信号処理装置３は、音響空間Ｒhの音響特性を示す音響特性データを記憶する記憶部５７１と、音響調整卓２から供給される音信号に対して音響特性データが示す音響特性を付与する特性処理部６とを有する。調整用空間Ｒmには、特性処理部６から供給される音信号に基づいて調整用空間Ｒmに放音するスピーカＳＰmが設けられている。調整者Ｕは、スピーカＳＰmから発せられる音を聴取しながら音響調整卓２を操作することにより、音響空間ＲhのスピーカＳＰhから発せられる音の特性を調整する。【選択図】      図１
2005221658.tif 000002
【特許請求の範囲】
【請求項１】
供給された音信号に基づいて音響空間内に放音する第１の放音手段と、
前記音響空間の音響特性を示す音響特性データを記憶した第１の記憶手段と、
供給された音信号に対し、前記第１の記憶手段に記憶された音響特性データが示す音響特性を付与する特性処理手段と、
前記特性処理手段による処理後の音信号に基づいて調整用空間内に放音する第２の放音手段と、
音源から得られた音信号の特性を変化させて前記第１の放音手段および前記特性処理手段に供給する調整手段と
を具備する音響調整システム。
【請求項２】
前記調整用空間の音響特性を示す調整用空間データを記憶した第２の記憶手段を具備し、
前記特性処理手段は、前記第２の記憶手段に記憶された調整用空間データに基づいて前記調整用空間の逆特性を音信号に付与する処理をさらに行なう
請求項１に記載の音響調整システム。
【請求項３】
前記第１の記憶手段は、各々が前記音響空間内の異なる位置における音響特性を示す複数の音響特性データを記憶する一方、
前記特性処理手段は、前記複数の音響特性データのうちいずれかの音響特性データが示す音響特性を音信号に付与する
請求項１または２に記載の音響調整システム。
【請求項４】
前記音響空間の環境に応じた音響特性を示す複数の環境特性データを記憶した第３の記憶手段と、
前記第３の記憶手段に記憶された環境特性データに基づいて前記音響空間の環境に応じた音響特性を前記第２の放音手段に供給される音信号に付与するための補正手段と、
を具備する請求項１から３のいずれかに記載の音響調整システム。
【請求項５】
前記第３の記憶手段に記憶された複数の環境特性データの各々は、前記音響空間に対する人員の収容率に応じた音響特性を示す
請求項４に記載の音響調整システム。
【請求項６】
前記補正手段は、それぞれ内容が異なる２つの環境特性データに基づいて補正係数を算定し、前記第１の記憶手段に記憶された音響特性データを前記補正係数に基づいて補正する一方、
前記特性処理手段は、前記補正手段による補正後の音響特性データが示す音響特性を音信号に付与する
請求項４または５に記載の音響調整システム。
【請求項７】
頭部伝達関数を記憶した第４の記憶手段を具備し、
前記特性処理手段は、前記第４の記憶手段に記憶された頭部伝達関数に基づいて音信号を補正する処理をさらに行なう
請求項１から６のいずれかに記載の音響調整システム。
【請求項８】
音響空間の音響特性を示す音響特性データを記憶した記憶手段と、
供給された音信号に対して前記記憶手段に記憶された音響特性データが示す音響特性を付与し、これにより得られた音信号を、調整用空間内に放音する第２の放音手段に出力する特性処理手段と、
音源から得られた音信号の特性を変化させ、これにより得られた音信号を、前記音響空間内に放音する第１の放音手段と前記特性処理手段とに供給する調整手段と
を具備する音響調整装置。
【発明の詳細な説明】
【技術分野】
【０００１】
本発明は、ホールなどの音響空間において発せられる音の特性を調整するための技術に関する。
【背景技術】
【０００２】
コンサートや催事が行なわれるホールなどの音響空間内に出力される音は、その空間の音響特性に合わせて特性が調整される。具体的には、音響空間の天井や壁面に設置されたマイクロホン（以下「モニタマイク」という）で音響空間内の音を収音し、その収音された音を調整室と呼ばれる部屋で聴きながら、音響空間に設置されたスピーカから出力される音の特性を適宜に調整する方法が一般的である（例えば特許文献１参照）。
【特許文献１】特開２００１−１２５５７８号公報（第１図および第２図）
【発明の開示】
【発明が解決しようとする課題】
【０００３】
しかしながら、このようなモニタマイクを使用した場合には、客席の位置において実際に受聴されるべき音の特性を調整室において確認することができず、必ずしも適切な調整を行なうことができないという問題がある。もちろん、この問題は、客席の位置にモニタマイクを設置すれば解決可能ではあるが、そのためにはモニタマイクを設置するために客席の一部を空席にしなければならないから、現実的な解決手法とは言えない。本発明は、このような事情に鑑みてなされたものであり、音響空間に発せられる音をより適切に調整することを可能にした仕組みを提供することを目的としている。
【課題を解決するための手段】
【０００４】
上述した課題を解決するために、本発明に係る音響調整システムは、供給された音信号に基づいて音響空間内に放音する第１の放音手段と、音響空間の音響特性を示す音響特性データを記憶した第１の記憶手段と、供給された音信号に対し、第１の記憶手段に記憶された音響特性データが示す音響特性を付与する特性処理手段と、特性処理手段による処理後の音信号に基づいて調整用空間内に放音する第２の放音手段と、音源から得られた音信号の特性を変化させて第１の放音手段および特性処理手段に供給する調整手段とを具備することを特徴としている。
この発明においては、音源から調整手段を介して出力された音信号に対して音響空間の音響特性を付与した音が第２の放音手段から調整用空間に出力される一方、音信号の特性が調整手段によって適宜に変化させられる。この構成によれば、音信号の調整を行なう調整者は、音響空間の音響特性が付与された音を調整用空間において受聴しながら音信号の特性を適宜に調整することができる。したがって、音響空間の天井や壁面に設置されたモニタマイクから得られる音に基づいて音信号を調整する場合と比較して、より適切に音信号の特性を調整することができる。しかも、音信号には音響特性データに基づいて音響空間の音響特性が付与されるから、音響空間に発せられて受聴者に至るべき音を収音するためのモニタマイクを音響空間内に設置する必要はない。したがって、例えばホールなどの音響空間において、客席の一部をモニタマイクの設置のために確保する必要はない。
なお、本発明における音響特性データの典型的な例は、音響空間のインパルス応答を示すデータである。このインパルス応答は、音響空間内における実測やシミュレーションによって予め取得される。音響特性データがインパルス応答のデータである場合、音信号に対して音響特性データが示す音響特性を付与する処理は、音信号に対してインパルス応答を用いた畳み込み演算を行なう処理となる。また、調整手段は、例えば利用者による入力手段への入力に応じて音信号の特性を変化させる。
【０００５】
本発明における第２の放音手段としてはスピーカやヘッドホンが採用され得る。第２の放音手段としてスピーカが採用される場合、調整用空間内において調整者が受聴する音は、第２の放音手段から出力された音に調整用空間の音響特性が反映されたものとなる。そこで、本発明の好ましい態様においては、第２の放音手段に供給される音信号から調整用空間の音響特性の逆特性が付与される。より具体的には、この態様においては、調整用空間の音響特性（音響特性の逆特性を含む）を示す調整用空間データを記憶した第２の記憶手段が設けられる一方、特性処理手段は、第２の記憶手段に記憶された調整用空間データに基づいて調整用空間の逆特性を音信号に付与する処理をさらに行なう。この望ましい態様によれば、第２の放音手段から発せられて調整者に到達する音を、音源からの音に音響空間の音響特性を付与した音（すなわち調整用空間の音響特性が付与されていない音）に一致または近似させることができるから、調整用空間内に再現される音場を音響空間の音場により近づけることができる。ここで、調整用空間データに基づいて調整用空間の逆特性を音信号に付与する処理は、例えば、調整用空間のインパルス応答から算出された逆特性のインパルス応答を用いた畳み込み演算を音信号に施す処理である。
【０００６】
一方、モニタマイクを音響空間内に設置する従来の技術のもとでは、モニタマイクの数が少ない場合に、調整用空間内において音響空間内の極めて限られた地点での音場を確認することしかできないという問題が生じ得る。一方、音響空間におけるより多くの地点において音響特性を確認するために多数のモニタマイクを音響空間に設置しようとすれば、モニタマイクを設置するために多数の客席を空席にしなければならない。そこで、本発明の好ましい態様において、第１の記憶手段は、各々が音響空間内の異なる位置の音響特性を示す複数の音響特性データを記憶する一方、特性処理手段は、複数の音響特性データのうちいずれかの音響特性データ（例えば利用者により選択された音響特性データ）が示す音響特性を音信号に付与する。この態様によれば、音響空間内の異なる位置に対応する音響特性データのうち利用者により指示されたデータに基づいて音信号に音響特性が付与されるから、音響空間内の所望の位置における音場が調整用空間内に再現される。
【０００７】
また、音響空間の音響特性は、その空間への人員の収容率や空間内の温度といった種々の環境に応じて変化することが知られている。そこで、本発明の望ましい態様においては、音響空間の環境に応じた音響特性を各々が示す複数の環境特性データを記憶した第３の記憶手段と、第３の記憶手段に記憶された環境特性データに基づいて音響空間の環境に応じた音響特性を第２の放音手段に供給される音信号に付与するための補正手段とが設けられる。この態様によれば、第２の放音手段に供給される音信号に対して環境特性データを用いた補正が施されるから、音響空間の環境の変化を補償した忠実な音場が調整用空間に再現されることとなる。したがって、調整者は、より適切に音信号の調整を行なうことができる。
なお、この態様においては、補正手段が、それぞれ異なる環境に対応する２つの環境特性データに基づいて補正係数を算定し、第１の記憶手段に記憶された音響特性データを補正係数に基づいて補正する一方、特性処理手段が、補正手段による補正後の音響特性データが示す音響特性を音信号に付与する構成としてもよい。こうすれば、２つの環境特性データさえ取得されれば音響空間の環境の変化を補償することができる。もっとも、音響空間の環境に応じて多数の環境特性データを予め取得しておき、このうちのいずれかを用いて音信号を補正する構成としてもよい。
【０００８】
また、本発明の別の態様においては、頭部伝達関数（例えば調整者の頭部伝達関数やこれに類似する頭部伝達関数）を記憶する第４の記憶手段が設けられる一方、特性処理手段は、第４の記憶手段に記憶された頭部伝達関数に基づいて音信号を補正する処理をさらに行なう。例えば、特性処理手段は、第４の記憶手段に記憶された頭部伝達関数が示す特性を音信号に付与する補正処理を行なう。この態様によれば、第２の放音手段から調整用空間内に出力される音は調整者の頭部伝達関数を反映させたものとなるから、調整用空間内に再現される音場を音響空間内の受聴者が知覚する音場により近づけることができる。
【０００９】
なお、本発明は、音響調整システムに用いられる音響調整装置（後述する実施の形態における音響調整卓と信号処理装置とを備えた装置）としても特定される。すなわち、この装置は、音響空間の音響特性を示す音響特性データを記憶した記憶手段と、供給された音信号に対して記憶手段に記憶された音響特性データが示す音響特性を付与し、これにより得られた音信号を、調整用空間内に放音する第２の放音手段に出力する特性処理手段と、音源から得られた音信号の特性を変化させ、これにより得られた音信号を、音響空間内に放音する第１の放音手段と特性処理手段とに供給する調整手段とを具備する。この装置によっても、本発明に係る音響調整システムと同様の効果が得られる。なお、この音響調整装置は、単一の装置として総ての要素が一体に構成されている必要は必ずしもなく、その一部の要素と他の要素とが別体の装置として構成されていてもよい。
【００１０】
また、本発明は、音響空間に発せられる音の特性を調整するための方法としても特定され得る。すなわち、この方法は、音源から得られる音信号を調整し、これにより得られた音信号に応じた音を第１の放音手段に供給して音響空間に放音させる一方、調整後の音信号に対して音響空間の音響特性を付与したうえで第２の放音手段に供給して調整用空間に放音させることを特徴とする。この方法によっても、本発明に係る音響調整システムと同様の効果が得られる。さらに、本発明は、コンピュータを音響調整装置として機能させるためのプログラムとしても特定され得る。このプログラムは、コンピュータを、音響空間の音響特性を示す音響特性データを記憶した記憶手段と、供給された音信号に対して前記記憶手段に記憶された音響特性データが示す音響特性を付与し、これにより得られた音信号を、調整用空間内に放音する第２の放音手段に出力する特性処理手段と、音源から得られた音信号の特性を利用者からの指示に応じて変化させ、これにより得られた音信号を、前記音響空間内に放音する第１の放音手段と前記特性処理手段とに供給する調整手段として機能させることを特徴とする。このプログラムは、ネットワークを介した配信によってコンピュータに提供されるものであってもよいし、光ディスクに代表される各種の記録媒体に格納された形態で提供されてコンピュータにインストールされるものであってもよい。
【発明の効果】
【００１１】
以上説明したように、本発明によれば、音響空間の音場が音響特性データに基づいて調整用空間に再現されるから、音響空間に発せられる音をより適切に調整することが可能となる。
【発明を実施するための最良の形態】
【００１２】
以下、図面を参照して、本発明の実施形態について説明する。
【００１３】
＜Ａ：音響調整システムの構成＞
まず、図１を参照して、本発明に係る音響調整システムの構成を説明する。同図に示すように、この音響調整システム１００は、音響空間Ｒhと調整用空間Ｒmとにわたって配置される。このうち音響空間Ｒhは、音響調整の対象となる空間であり、例えばコンサートや催事が行なわれるホールである。本実施形態における音響空間Ｒhは、楽音や音声などの音を発する実演者が位置すべきステージ（舞台）ＳＴと、この演者による演奏、歌唱、講演または演劇といった実演を鑑賞する鑑賞者が位置すべき客席ＳＥとを有する。一方、調整用空間Ｒmは、音響空間Ｒhに発せられる音の特性を調整者Ｕが調整するための空間（調整室）であり、音響空間Ｒhに近接して設けられている。
【００１４】
音響調整システム１００は、４つのスピーカＳＰh（ＳＰh1,ＳＰh2,ＳＰh3,ＳＰh4）を有する。これらのスピーカＳＰhの各々は、供給された音信号に基づいて音響空間Ｒh内に放音する手段である。各スピーカＳＰhの前段には、音信号を増幅してスピーカＳＰhに供給するアンプ７３と、音信号の特性を変化させる信号処理部７４とが設けられている。このうち信号処理部７４は、音信号のうち特定の周波数成分の信号レベルを増減させるイコライザや音信号を遅延させる遅延回路などを含んでいる。この信号処理部７４によるイコライジング処理や遅延処理の内容は、音響空間Ｒhの音響特性に応じて予め固定的に設定されている。なお、図１におけるスピーカＳＰh2は、放音面を下方に向けた状態で音響空間Ｒhの天井面に設置されている。
【００１５】
また、音響調整システム１００は、入力用マイクＭＣeとモニタマイクＭＣaとを有する。これらのマイクＭＣeおよびＭＣaは、音響空間Ｒhにおける周囲の音に応じた信号（以下「音信号」という）を生成する手段である。このうち入力用マイクＭＣeは、音響空間ＲhのステージＳＴ上に設置され、このステージＳＴ上に居る実演者が発した音に応じた音信号を出力する。一方、モニタマイクＭＣaは、音響空間Ｒhの客席ＳＥに配置され、スピーカＳＰhから発せられて客席ＳＥに到達した音に応じた音信号を出力する。
【００１６】
さらに、音響調整システム１００は、音響調整卓２と信号処理装置３と７つのスピーカＳＰm（ＳＰm1，ＳＰm2，ＳＰm3，ＳＰm4，ＳＰm5，ＳＰm6，ＳＰm7）とを有する。スピーカＳＰmは、それぞれアンプ７１を介して信号処理装置３に接続されている。各スピーカＳＰmは、信号処理装置３から出力されてアンプ７１により増幅された音信号に基づいて調整用空間Ｒm内に放音する手段である。７つのスピーカＳＰm1〜ＳＰm7は、調整用空間Ｒmの中央に位置する調整者Ｕを囲むように当該調整用空間Ｒmの壁面に設置される。具体的には、スピーカＳＰm1は調整者Ｕの正面に位置し、スピーカＳＰm2は調整者Ｕの正面左側に位置し、スピーカＳＰm3は調整者Ｕの正面右側に位置する。また、スピーカＳＰm4は調整者Ｕの左側に位置し、スピーカＳＰm5は調整者Ｕの右側に位置する。さらに、スピーカＳＰm6は調整者Ｕの後方左側に位置し、スピーカＳＰm7は調整者Ｕの後方右側に位置する。
【００１７】
一方、音響調整卓２（いわゆるミキシングコンソール）は、調整用空間Ｒm内に設置され、音響空間Ｒh内の入力用マイクＭＣeから供給される音信号の特性を調整者Ｕからの指示に応じて変化させるための装置である。図２に示すように、この音響調整卓２は、入力用マイクＭＣeから供給されたアナログの音信号をデジタルの音信号に変換するためのＡ／Ｄ変換器２１と、Ａ／Ｄ変換器２１から出力された音信号の特性を調整する４つの調整ユニット２３１を備える調整装置２３と、各調整ユニット２３１から出力されたデジタルデータをアナログの音信号に変換するためのＤ／Ａ変換器２５と、調整者Ｕによる操作を受け付ける入力装置２７とを有する。このうち入力装置２７は、スイッチやフェーダといった各種の操作子を備え、これらの操作子に対する操作の内容に応じた信号を調整装置２３に出力する。
【００１８】
一方、Ａ／Ｄ変換器２１から出力された音信号は、音響空間ＲhにおけるスピーカＳＰh1〜ＳＰh4の数に相当する４チャネル分の音信号に分岐させられ、その各々が異なる調整ユニット２３１に供給される。各調整ユニット２３１は、Ａ／Ｄ変換器２１から供給された各チャネルの音信号のレベルを特定の周波数帯域ごとに調整するイコライザ２３１ａと、イコライザ２３１ａから出力された音信号を遅延させる遅延回路２３１ｂと、遅延回路２３１ｂから出力された音信号のレベルを調整するアンプ２３１ｃとを有する。イコライザ２３１ａによるレベル増減の対象となる周波数帯域やその増減量、遅延回路２３１ｂによる遅延時間、およびアンプ２３１ｃのによるレベルの増減量といった音信号の調整に関わるパラメータは、入力装置２７に与えられた操作に応じて調整ユニット２３１ごとに適宜に選定される。各調整ユニット２３１による調整を経て後段のＤ／Ａ変換器２５から出力された音信号は、それぞれ信号処理部７４およびアンプ７３を介してスピーカＳＰh1〜ＳＰh4に供給されるとともに信号処理装置３にも供給される。以上の構成のもと、調整者Ｕは、入力装置２７の操作子を適宜に操作することによって、入力用マイクＭＣeから供給されてスピーカＳＰh1〜ＳＰh4および信号処理装置３に供給される音信号の特性を任意に調整することができる。
【００１９】
次に、図１に示した信号処理装置３は、音響調整卓２やモニタマイクＭＣaから供給される音信号に対して各種の処理を施してスピーカＳＰm1〜ＳＰm7に出力するための装置であり、調整用空間Ｒm内に設置されている。図３に示すように、この信号処理装置３は、スイッチや摘みなどの操作子を備えた入力装置３７を有する。調整者Ｕは、この入力装置３７の操作子を適宜に操作することによって、モニタモード、音場再現モードおよびサンプルモードのいずれかを信号処理装置３の動作モードとして任意に選択することができる。一方、図３に示したモニタ処理部３１、音場再現処理部３２およびサンプル処理部３３は、各動作モードに応じた処理を行なう手段である。すなわち、モニタ処理部３１はモニタモードが選択された場合に動作し、音場再現処理部３２は音場再現モードが選択された場合に動作し、サンプル処理部３３はサンプルモードが選択された場合に動作する。一方、図３に示す切換部３５には、上述した７つのスピーカＳＰm1〜ＳＰm7とヘッドホン（図示略）とが接続されている。この切換部３５は、入力装置３７に対する操作の内容に基づいて、スピーカＳＰm1〜ＳＰm7とヘッドホンとのいずれか一方を、モニタ処理部３１、音場再現処理部３２またはサンプル処理部３３から出力された音信号の出力先として選択する。なお、図３に示したモニタ処理部３１、音場再現処理部３２、サンプル処理部３３および切換部３５は、ＤＳＰ（Digital Signal Processor）などのハードウェアのみによって実現されてもよいし、ＣＰＵなどのハードウェアと当該ＣＰＵが実行するプログラムとの協働によって実現されてもよい。
【００２０】
図３に示したモニタ処理部３１は、音響空間Ｒhに配置されたモニタマイクＭＣaから供給される音信号を切換部３５に出力する。したがって、モニタモードが選択されている場合には、スピーカＳＰh1〜ＳＰh4からモニタマイクＭＣaに到達した音がスピーカＳＰm1〜ＳＰm7またはヘッドホンから出力される。調整者Ｕは、この音を受聴しながら音響調整卓２を適宜に操作することにより、スピーカＳＰh1〜ＳＰh4を介して出力される音の特性を従来の技術と同様の手順にて調整することができる。一方、サンプル処理部３３は、音響調整卓２から供給される４チャネル分の音信号のいずれかを選択的に出力する。したがって、サンプルモードが選択されている場合には、音響空間Ｒhに配置された４つのスピーカＳＰh1〜ＳＰh4のいずれかによって出力されるべき音が選択的にスピーカＳＰm1〜ＳＰm7またはヘッドホンから出力される。調整者Ｕは、この音を受聴しながら音響調整卓２を適宜に操作することにより、各スピーカＳＰhから出力される音の特性を任意に調整することができる。
【００２１】
次に、音場再現処理部３２は、音響調整卓２から供給される音信号に対し、音響空間Ｒhの音場を調整用空間Ｒmに再現するための処理を施して出力する手段である。図４は、音場再現処理部３２の構成を機能的に示すブロック図である。同図に示すように、音場再現処理部３２は、音響調整卓２からＡ／Ｄ変換器５１を介して供給される音信号に特定の音響特性を付与するための特性処理部６を有する。特性処理部６による処理後の音信号は、Ｄ／Ａ変換器５２によりアナログの音信号に変換された後に切換部３５からスピーカＳＰm1〜ＳＰm7またはヘッドホンに供給される。特性処理部６は、フィルタ処理部６１と逆フィルタ処理部６２とを含む。このうちフィルタ処理部６１は、音響調整卓２から供給される音信号に対して音響空間Ｒhの音響特性を付与する手段である。一方、逆フィルタ処理部６２は、フィルタ処理部６１から出力された音信号に対して調整用空間Ｒmの音響特性に基づく逆フィルタ処理を施す手段である。
【００２２】
音場再現処理部３２は３つの記憶部５７１、５７２および５７３を有する。これらの記憶部は、ひとつの記憶装置に画定された複数の記憶領域によって実現されてもよいし、各々が別個の記憶装置によって実現されてもよい。
【００２３】
このうち記憶部５７１は、音響空間Ｒhの音響特性を示すデータ（以下「音響特性データ」という）を記憶している。本実施形態における音響特性データは、音響空間Ｒhのインパルス応答を示すデータである。このインパルス応答は、音響空間Ｒhの特性を用いたシミュレーションによって演算されたものであってもよいが、本実施形態においては音響空間Ｒhにおいて実際に測定されたものを用いる。より具体的には、総ての客席ＳＥが空席とされた音響空間Ｒh内に各スピーカＳＰhから発せられたインパルス音をマイクロホンアレイによって収音してインパルス応答が測定される。図５に示すように、このインパルス応答の測定に用いられるマイクロホンアレイ９０は、各々が異なる方向ｄ1〜ｄ7に向けられた７つの指向性マイク（超指向性マイク）を有する。この指向性マイクの方向ｄ1〜ｄ7は、調整用空間Ｒmにおける調整者Ｕに対するスピーカＳＰm1〜ＳＰm7の向きと一致している。また、図６に示すように、インパルス応答の測定は音響空間Ｒh内の複数の地点（以下「対象地点」という）Ｐにおいて実行される。この対象地点Ｐには、客席ＳＥ近傍の地点だけでなく、ステージＳＴ上の実演者が所在すべき地点（図６に示す地点Ｐst）も含まれている。このような測定によれば、各スピーカＳＰhにより発せられて方向ｄ1〜ｄ7から各対象地点Ｐに到達した音のインパルス応答が得られる。そして、記憶部５７１は、図７に示すように、以上の測定によって得られたインパルス応答が音響特性データとして含められたテーブルTBL1を各対象地点Ｐ（Ｐa、Ｐb、Ｐc、…）ごとに記憶している。ひとつの対象地点Ｐに対応するテーブルにおいては、インパルス応答を示す各音響特性データが、そのインパルス応答に対応するインパルス音を発生したスピーカＳＰhi（ｉは１から４までの整数）の識別情報と、そのインパルス応答が測定された方向ｄj（ｊは１から７までの整数）とに対応付けられている。例えば図７において、音響特性データが示すインパルス応答ＩＲa11は、スピーカＳＰh1から発せられて方向ｄ1から対象地点Ｐaに到達した音のインパルス応答を示している。以下では、スピーカＳＰhiから発せられて方向ｄjから対象地点Ｐx（ｘは各対象地点に割り当てられた符号）に到達した音のインパルス応答を「インパルス応答ＩＲxij」と表記する。
【００２４】
図４に示す選択部５４は、テーブルTBL1に含まれる音響特性データのうち特定の対象地点Ｐに対応する音響特性データを選択的に読み出して出力する手段である。調整者Ｕは、入力装置３７を適宜に操作することにより、図６に示した複数の対象地点Ｐのいずれかを任意に選択することができる。選択部５４は、こうして選択された対象地点Ｐに対応する音響特性データを記憶部５７１から読み出すのである。
【００２５】
ところで、音響空間Ｒhの音響特性は音響空間Ｒhの環境に応じて異なることが知られている。例えば、音響空間Ｒhの総ての客席ＳＥに鑑賞者が着席している環境と音響空間Ｒh内に鑑賞者が存在しない環境とでは音響特性は異なる。そこで、図４に示すように、本実施形態における音場再現処理部３２は、選択部５４によって読み出された音響特性データに対して、音場再現の対象となる音響空間Ｒhの環境に応じた補正を施す補正部５６を備えている。一方、音場再現の対象となる音響空間Ｒhの環境は、調整者Ｕが入力装置３７を操作することによって任意に指定される。本実施形態においては、音響空間Ｒhに対する鑑賞者の収容の程度（以下「収容率」という）が調整者Ｕによって入力され、この入力された収容率に応じた補正が音響特性データに対して施される。
【００２６】
記憶部５７３は、音響空間Ｒhの環境に応じた音響特性を示すデータ（以下「環境特性データ」という）を記憶している。この環境特性データは、補正部５６による補正に用いられる係数（以下「補正係数Ｄc」という）を算定するためのデータである。本実施形態における環境特性データは、音響空間Ｒhの収容率に応じた音響特性を示す。より具体的には、音響空間Ｒh内に鑑賞者が存在しない場合（収容率０％）の減衰特性を示す環境特性データと、音響空間Ｒhの総ての客席ＳＥに鑑賞者が着席している場合（収容率１００％）の減衰特性を示す環境特性データとが記憶部５７３に記憶されている。これらの環境特性データは、図８に示すように、音響空間Ｒh内に発せられた音の減衰特性を近似した指数曲線Ｐ0およびＰ100をそれぞれ示している。すなわち、総ての客席ＳＥに鑑賞者を着席させた状態で音響空間Ｒh内の幾つかの代表的な地点（例えば４箇所ないし６箇所）においてインパルス応答をそれぞれ測定し、これらの測定結果から求められる減衰特性の平均値から近似される指数曲線Ｐ100が収容率１００％に対応した環境特性データとして用いられる。一方、音響空間Ｒhから総ての鑑賞者を排除した状態で同地点においてインパルス応答を測定し、これらの測定結果から求められる減衰特性の平均値から近似される指数曲線Ｐ0が収容率０％に対応した環境特性データとして用いられる。
【００２７】
次に、図４に示す補正係数算定部５５は、記憶部５７３に記憶された２つの環境特性データと調整者Ｕによって入力された収容率とに基づいて、補正部５６による補正に用いられる補正係数Ｄcを算定する手段である。すなわち、図８を例にとると、０％と１００％との間の収容率（例えば５０％）が調整者Ｕによって指定された場合、補正係数算定部５５は、収容率０％の指数曲線Ｐ0と収容率１００％の指数曲線Ｐ100との間に位置する指数曲線Ｐxを示す補正係数Ｄcを算定して出力する。この指数曲線Ｐxは、調整者Ｕによって指定された収容率が高いほど収容率１００％の指数曲線に近づき、指定された収容率が低いほど収容率０％の指数曲線に近づく。
【００２８】
より具体的には、補正係数Ｄcは以下の手順にて算定される。
減衰曲線Ｐに対して減衰率ａ（ｔ）を、
ａ（ｔ）＝２０ｌｏｇ１０（Ｐ）
とすると、収容率０％のときの減衰曲線Ｐ0、および収容率１００％のときの減衰曲線Ｐ100は、
Ｐ0＝１０＾（ａ0（ｔ）／２０）
Ｐ100＝１０＾（ａ100（ｔ）／２０）
と表される。ただし、上式におけるａ0（ｔ）は収容率０％のときの減衰率であり、ａ100（ｔ）は収容率１００％のときの減衰率である。また、「＾」はべき乗を表す演算子である。
このとき、調整者Ｕによって指定された収容率Audiに応じた補正係数Ｄc（図８の指数曲線Ｐx）は、
Ｄc＝１０＾（（ａ100（ｔ）−ａ0（ｔ））×Audi／２０）
と表される。補正係数算定部５５は、この数式と環境特性データと利用者により指定された収容率とに基づいて補正係数Ｄcを算定するのである。
【００２９】
補正部５６は、選択部５４から出力される音響特性データが示すインパルス応答に対し、補正係数算定部５５によって算定された補正係数Ｄcを乗算し、これにより得られた新たな音響特性データをフィルタ処理部６１に出力する。フィルタ処理部６１は、Ａ／Ｄ変換器５１から出力される音信号に対し、補正部５６から供給される音響特性データのインパルス応答を用いた畳み込み演算を施す。
【００３０】
ここで、音信号の出力先としてスピーカＳＰm1〜ＳＰm7が選択されている場合、これらのスピーカＳＰm1〜ＳＰm7から出力された音は音響空間Ｒh内を経て調整者Ｕに受聴される。このため、調整者Ｕが実際に受聴する音は、音場再現処理部３２からスピーカＳＰm1〜ＳＰm7に供給された音信号に対して調整用空間Ｒmの音響特性が付与されたものとなる。しかしながら、調整者Ｕが知覚する音場は音響空間Ｒhの音場にできる限り近いことが望ましい。そこで、本実施形態においては、フィルタ処理部６１から出力された音信号に対し、調整用空間Ｒmの音響特性の逆特性を付与するためのフィルタ処理が施される。この構成によれば、スピーカＳＰm1〜ＳＰm7から発せられて調整者Ｕに到達する音の特性を、フィルタ処理部６１から出力された音信号の特性と一致または近似させることができる。すなわち、調整者Ｕに到達する音から調整用空間Ｒmの音響特性をキャンセルすることができるのである。ただし、逆フィルタ処理部６２は、音信号の出力先としてスピーカＳＰm1〜ＳＰm7が選択されている場合に限って逆フィルタ処理を実行し、音信号の出力先としてヘッドホンが選択されている場合には逆フィルタ処理を停止する。
【００３１】
この逆フィルタ処理を実現するために、記憶部５７２は、調整用空間Ｒmの音響特性を示すデータ（以下「調整用特性データ」という）を記憶している。本実施形態における調整用特性データは、調整用空間Ｒmにて予め取得されたインパルス応答を示すデータである。このインパルス応答は、調整用空間Ｒmの特性を用いたシミュレーションによって演算されたものであってもよいが、本実施形態においては調整用空間Ｒmにおいて実際に測定されたものを用いる。すなわち、スピーカＳＰm1〜ＳＰm7の各々から出力されたインパルス音を、調整用空間Ｒmのうち調整者Ｕが所在すべき地点に配置されたマイクロホンによって収音してインパルス応答が測定される。記憶部５７２は、図９に示すように、各スピーカＳＰmの識別情報と、そのスピーカＳＰmからのインパルス音により測定されたインパルス応答を示す調整用特性データとが対応付けられたテーブルTBL2を記憶している。例えば図９において、調整用特性データが示すインパルス応答ＩＲ1は、スピーカＳＰm1から発せられた音のインパルス応答を示している。以下では、スピーカＳＰmjから調整者Ｕに到達する音のインパルス応答を「インパルス応答ＩＲj」と表記する。図４に示した逆フィルタ処理部６２は、フィルタ処理部６１から出力された音信号に対し、記憶部５７２に記憶された調整用特性データを用いた逆フィルタ処理を施す。
【００３２】
次に、図１０は、特性処理部６の具体的な構成を示すブロック図である。同図に示す伝送ライン２９は、音響調整卓２から音響空間ＲhのスピーカＳＰhに至る４チャネル分の伝送ラインである。なお、図１０においては、図面が煩雑になるのを防止するためにＡ／Ｄ変換器５１の図示が省略されている。
【００３３】
図１０に示すように、調整用空間Ｒmに設けられたスピーカＳＰmごとに、４本の伝送ライン２９の各々から分岐した４チャネル分の伝送ライン６６の組が設けられている。各伝送ライン６６上には、フィルタ処理部６１を構成するフィルタ６１１と、逆フィルタ処理部６２を構成するフィルタ６２１とが直列に配置されている。ひとつの組に属する４本の伝送ライン６６は加算器６４に接続されている。この加算器６４は、ひとつの組に属する４本の伝送ライン６６のフィルタ６２１から出力された音信号を加算する手段である。加算器６４から出力された音信号はＤ／Ａ変換器５２およびアンプ７１を介してスピーカＳＰmに供給される。
【００３４】
スピーカＳＰhiへの伝送ライン２９から分岐してスピーカＳＰmjに至る伝送ライン６６のフィルタ６１１には、インパルス応答ＩＲxijを示す音響特性データが補正部５６から供給される。一方、スピーカＳＰmjに至る伝送ライン６６のフィルタ６２１には、インパルス応答ＩＲjを示す調整用特性データが記憶部５７２から供給される。例えば、スピーカＳＰh4に至る伝送ライン６６から分岐してスピーカＳＰm1に至る伝送ライン６６に着目し、対象地点Ｐaが調整者Ｕによって指定された場合を想定すると、この伝送ライン６６上のフィルタ６１１にはインパルス応答ＩＲa41が供給され、フィルタ６２１にはインパルス応答ＩＲ1が供給される。したがって、この構成のもとで各スピーカＳＰmjに供給される音信号Ｒjは以下の式にて表現される。
【数１】
2005221658.tif 000003
なお、この式における「Ｓi」は、音響調整卓２からスピーカＳＰhiに供給される音信号を示している。
【００３５】
次に、本実施形態の動作を説明する。なお、以下では、調整者Ｕによって音場再現モードが選択され、調整用空間Ｒmにおける音信号の出力先としてスピーカＳＰm1〜ＳＰm7が指定されている場合を想定する。
【００３６】
まず、ステージＳＴ上の実演者による実演に伴なって入力用マイクＭＣeから音信号が出力される。この音信号は、入力用マイクＭＣeから音響調整卓２を介してスピーカＳＰh1〜ＳＰh4と信号処理装置３とに供給される。スピーカＳＰh1〜ＳＰh4は、この音信号に基づいて音響空間Ｒh内に放音する。一方、調整用空間Ｒm内の調整者Ｕは、入力装置３７を適宜に操作することによって、音響空間Ｒhのうち音場を再現すべき対象地点Ｐとその音響空間Ｒhの収容率とを指定する。音場再現処理部３２の選択部５４は、記憶部５７１に記憶された多数の音響特性データのうち調整者Ｕによって指定された対象地点Ｐに対応するインパルス応答の音響特性データを読み出す。一方、補正係数算定部５５は、記憶部５７３に記憶された環境特性データに基づいて、調整者Ｕにより指定された収容率に対応する補正係数Ｄcを算定する。そして、補正部５６は、この補正係数Ｄcを選択部５４により読み出された音響特性データに乗算して出力する。
【００３７】
次いで、特性処理部６のフィルタ処理部６１は、音響調整卓２からＡ／Ｄ変換器５１を介して供給される音信号に対し、補正部５６による補正後の音響特性データが示すインパルス応答を用いた畳み込み演算を施す。このフィルタ処理により、音信号に対して音響空間Ｒhの音響特性が付与される。一方、特性処理部６の逆フィルタ処理部６２は、フィルタ処理部６１から出力された音信号に対し、記憶部５７２に記憶された調整用空間Ｒmデータを用いた逆畳み込み演算を施す。この逆フィルタ処理部６２から出力された音信号は、Ｄ／Ａ変換器５２を介してアナログ信号に変換されたうえで各スピーカＳＰmの前段のアンプ７１に供給される。スピーカＳＰmは、アンプ７１により増幅された音信号に基づいて調整用空間Ｒm内に放音する。調整者Ｕは、この音を受聴しながら音響調整卓２を適宜に操作し、スピーカＳＰh1〜ＳＰh4から音響空間Ｒhに発せられる音が所望の特性となるように調整する。スピーカＳＰm1〜ＳＰm7から発せられる音は逆フィルタ処理を経た音信号に基づくものであるから、調整者Ｕは、調整用空間Ｒmの音響特性が相殺された音を受聴することとなる。
【００３８】
このように、本実施形態においては、音響空間Ｒhの各対象地点Ｐにおける音場が調整用空間Ｒmに再現されるから、音響空間Ｒhに発せられる音の特性をより適切に行なうことが可能となる。また、音響空間Ｒhにおける複数の対象地点Ｐのいずれかを調整者Ｕが任意に選定できるようになっているから、音響空間Ｒhの広い領域にわたって音響特性を適切に調整することができる。しかも、本実施形態においては、調整用空間Ｒmの音響特性に応じた逆フィルタ処理が音信号に対して施されるようになっている。したがって、調整用空間Ｒmに再現される音場を音響空間Ｒhの音場により近づけることができる。一方、音響空間Ｒhの客席ＳＥにモニタマイクを設置することは原理的に不要である。したがって、音響空間Ｒhの客席ＳＥをモニタマイクの設置のために空席とする必要はない。
【００３９】
また、本実施形態においては、調整用空間Ｒmに再現される音場に音響空間Ｒhの環境の違いを反映させることができる。したがって、例えば鑑賞者が収容される前に行なわれるリハーサルの段階においても、収容率を適宜に選定することによって、鑑賞者が収容された状況を想定したうえで音場の調整を行なうことができる。特に、本実施形態においては、ステージＳＴ上の実演者が所在すべき地点のインパルス応答が音響特性データとして予め用意されている。歌唱者や楽器の演奏者などの実演者にとっては、自分がどのような環境のもとで実演を行なうことになるのかが重要な関心事となる。本実施形態によれば、実演者が所在すべき地点の音場が調整用空間Ｒmに再現され、しかも音響空間Ｒhの環境を任意に指定することができる（例えば鑑賞者が収容された環境を指定することができる）から、実演者は、自分が実演を行なうことになる音場を事前に確認し、必要に応じてその音場を調整することができる。一方、音響調整卓２から出力された音信号はスピーカＳＰh1〜ＳＰh4および信号処理装置３の双方に供給されるから、音響空間Ｒhに鑑賞者が収容されて実演が行なわれている時であっても音響空間Ｒhの音場を調整することができる。
【００４０】
さらに、本実施形態においては、音場再現処理部３２によって調整用空間Ｒmに音響空間Ｒhの音場を再現する音場再現モードのほか、客席ＳＥに配置されたモニタマイクＭＣaにより収音された音を調整用空間Ｒmに出力するモニタモードを選択することができる。したがって、従来の技術のように客席ＳＥにて鑑賞者に受聴される音そのものを調整用空間Ｒmにおける調整のために受聴することも可能である。一方、従来と同様のモニタモードを選択できると言っても、音場再現モードによる音場の調整ができる以上は、モニタモードによる音場の調整のみが可能である従来の技術と比較すれば、モニタマイクＭＣaの個数を大幅に削減することができるという利点がある。
【００４１】
＜Ｂ：変形例＞
以上に説明した形態は本発明の一例に過ぎず、この形態には本発明の趣旨の範囲内において種々の変形を施すことが可能である。具体的には、以下のような変形例が考えられる。
【００４２】
（１）上記実施形態においては、音響空間Ｒhの音響特性と調整用空間Ｒmの音響特性とを音信号に反映させる構成を例示したが、さらに頭部伝達関数を音信号に反映させてもよい。いま、音響空間Ｒhに設置されたダミーヘッドを用いて２チャネル分のインパルス応答を測定しておき、このインパルス応答を音響特性データとして用いて２チャネルのスピーカＳＰm1およびＳＰm2から出力する場合を想定する。この場合には、図１１に示すように、スピーカＳＰm1およびＳＰm2に対応した頭部伝達関数（調整者Ｕの頭部伝達関数またはこれに類似した頭部伝達関数）を記憶した記憶部５７４と、畳み込み演算などのフィルタ処理を行なうフィルタ処理部６３とを逆フィルタ処理部６２の後段に設けてもよい。この構成のもと、フィルタ処理部６３は、逆フィルタ処理部６２から供給される音信号に対して頭部伝達関数を用いたフィルタ処理を行ない、この処理後の音信号を、調整者Ｕの左右に配置された２チャネルのスピーカＳＰm1およびＳＰm2から出力する。この構成によれば、スピーカＳＰm1およびＳＰm2によるクロストークが補正されるから、調整用空間Ｒmに再現される音場をより音響空間Ｒhの音場に近づけることができる。この場合には、調整用空間Ｒmに配置されるスピーカは２個で足りる。なお、調整用空間Ｒmの音出力にヘッドホンが使用される場合には、逆フィルタ処理部６２による逆フィルタ処理や頭部伝達関数を用いたフィルタ処理は不要である。
【００４３】
（２）上記実施形態においては調整用空間Ｒmが音響空間Ｒhに近接して設けられた構成を例示したが、調整用空間Ｒmと音響空間Ｒhとが遠隔に設けられた構成としてもよい。さらに、複数の音響空間Ｒhの音響特性をひとつの調整用空間Ｒmにおいて統一的に調整する構成としてもよい。図１２は、本変形例に係る音響調整システムの構成を示すブロック図である。同図に示すように、このシステム１００ａは、複数の音響空間Ｒhの各々に設けられた音響ユニット９１を有する。各音響ユニット９１は、上記実施形態に示した入力用マイクＭＣeおよび複数のスピーカＳＰhに加えて、インターネットなどのネットワーク９０に接続された通信部９１１を有する。入力用マイクＭＣeおよび複数のスピーカＳＰhは通信部９１１に接続されている。
【００４４】
また、音響調整システム１００ａは、各音響空間Ｒhから離間した位置にある調整用空間Ｒmに配置された調整用ユニット９３を有する。この調整用ユニット９３は、上記実施形態に示した音響調整卓２、信号処理装置３およびスピーカＳＰm（ＳＰm1〜ＳＰm7）に加えて、ネットワーク９０に接続された通信部９３１を有する。この通信部９３１は、音響調整卓２と他の機器との間でネットワーク９０を介した情報の授受を中継する手段である。また、信号処理装置３の記憶部５７１には各音響空間Ｒhについて得られた音響特性データが音響空間Ｒhごとに記憶されている。同様に、信号処理装置３の記憶部５７３には、各音響空間Ｒhについて得られた環境特性データが音響空間Ｒhごとに記憶されている。
【００４５】
この構成のもと、複数の音響空間Ｒhのうちいずれかの音響空間Ｒh（以下「対象音響空間Ｒh」という）が音場調整の対象として選択されると、以下の動作が実行される。まず、対象音響空間Ｒhの入力用マイクＭＣeから出力された音信号が通信部９１１からネットワーク９０に送信される。この音信号は、ネットワーク９０から調整用ユニット９３の通信部９３１を介して音響調整卓２に供給される。音響調整卓２による調整を経て出力された音信号は、通信部９３１からネットワーク９０を介して対象音響空間Ｒhの音響ユニット９１に送信されるとともに調整用ユニット９３の信号処理装置３にも出力される。対象音響空間ＲhのスピーカＳＰhは、調整用ユニット９３から通信部９１１を介して受信した音信号に基づいて対象音響空間Ｒh内に放音する。一方、信号処理装置３に出力された音信号は、上記実施形態と同様のフィルタ処理および逆フィルタ処理を経た後にスピーカＳＰm1〜ＳＰm7から音として出力される。調整者Ｕは、この音を聴きながら音響調整卓２を適宜に操作することによって対象音響空間Ｒhの音場を調整する。
【００４６】
この構成によっても上記実施形態と同様の効果が得られる。しかも、本変形例によれば音響空間Ｒhごとに調整用空間Ｒmを設ける必要がないから、音響施設の製造コストが低減される。また、複数の音響空間Ｒhの音響特性がひとつの調整用空間Ｒmにおいて調整されるから、各音響空間Ｒhごとに調整者Ｕを配置する必要はない。
【００４７】
（３）上記実施形態においては、２つの環境特性データに基づいて任意の環境（収容率）に対応する補正係数Ｄcを算定する構成を例示したが、異なる環境に対応する複数の補正係数を予め用意しておく構成としてもよい。例えば、上記実施形態においては、収容率０％と収容率１００％のときの環境特性データのみを記憶部５７３に記憶させる構成としたが、これに加えて、その他の収容率に対応する環境特性データを予め取得して記憶部５７３に記憶させてもよい。
【００４８】
（４）上記実施形態においては、音響空間Ｒhの再生チャネル数を「４」とし、調整用空間Ｒmの再生チャネル数を「７」とした場合を想定したが、これらのチャネル数は任意に変更され得る。例えば、調整用空間Ｒmの再生チャネル数を単数とした場合やさらに多数とした場合であっても、上記実施形態と同様の効果が得られる。また、上記実施形態においては音響調整卓２と信号処理装置３とが別体の装置を構成する場合を例示したが、これらの構成要素は一体の装置として構成されていてもよい。
【図面の簡単な説明】
【００４９】
【図１】本発明の実施形態に係る音響調整システムの構成を示す図である。
【図２】音響調整卓の構成を示すブロック図である。
【図３】信号処理装置の構成を示すブロック図である。
【図４】信号処理装置のうち音場再現処理部の構成を示すブロック図である。
【図５】インパルス応答の測定に用いられるマイクロホンアレイについて説明するための図である。
【図６】インパルス応答を測定するための対象地点について説明するための図である。
【図７】音場再現処理部において用いられる音響特性データのテーブルの内容を示す図である。
【図８】音場再現処理部において用いられる環境特性データの内容を説明するための図である。
【図９】音場再現処理部において用いられる調整用特性データのテーブルの内容を示す図である。
【図１０】音場再現処理部のうち特性処理部の構成を示すブロック図である。
【図１１】変形例に係る特性処理部の構成を示すブロック図である。
【図１２】変形例に係る音響調整システムの構成を示すブロック図である。
【符号の説明】
【００５０】
１００，１００ａ……音響調整システム、Ｒh……音響空間、Ｒm……調整用空間、ＭＣe……入力用マイク（音源）、ＳＰh（ＳＰh1，ＳＰh2，ＳＰh3，ＳＰh4）……スピーカ（第１の放音手段）、ＳＰm（ＳＰm1，ＳＰm2，ＳＰm3，ＳＰm4，ＳＰm5，ＳＰm6，ＳＰm7）……スピーカ（第２の放音手段）、Ｕ……調整者、２……音響調整卓、２３……調整装置（調整手段）、２７……入力装置、３……信号処理装置、３２……音場再現処理部、３７……入力装置、６……特性処理部（特性処理手段）、６１，６４……フィルタ処理部、６２……逆フィルタ処理部、５５……補正係数算定部、５６……補正部（補正手段）、５７１……記憶部（第１の記憶手段）、５７２……記憶部（第２の記憶手段）、５７３……記憶部（第３の記憶手段）、５７４……記憶部（第４の記憶手段）。
【図１】
2005221658.tif 000004
【図２】
2005221658.tif 000005
【図３】
2005221658.tif 000006
【図４】
2005221658.tif 000007
【図５】
2005221658.tif 000008
【図６】
2005221658.tif 000009
【図７】
2005221658.tif 000010
【図８】
2005221658.tif 000011
【図９】
2005221658.tif 000012
【図１０】
2005221658.tif 000013
【図１１】
2005221658.tif 000014
【図１２】
2005221658.tif 000015